(57)【要約】【課題】  より適正な心線対照が可能な心線対照方法を提供する。【解決手段】  心線対照を行う光ファイバ心線４に対して心線対照光発生器３から心線対照光１０２を送信する。心線対照を行う作業現場において、心線対照を行う光ファイバ心線４に対して心線対照光１０２が送信されているか否かを確認するとともに、当該光ファイバ心線４に対してユーザ装置６側から上り通信光１０１が送信されているか否かを確認する。接続作業を行うために心線対照を行う場合、心線対照光１０２が送信されており、かつ上り通信光１０１が送信されていない場合に、心線対照が正しいと判定する。【選択図】  図１
2008275443.tif 000002
【特許請求の範囲】
【請求項１】
局内装置とユーザ装置との間に配設された光ファイバ心線の心線対照を行うための心線対照方法であって、
心線対照を行う光ファイバ心線に対して前記局内装置側から光信号を送信し、
心線対照を行う位置において、心線対照を行う光ファイバ心線に対して前記局内装置側からの光信号が送信されているか否かを確認するとともに、当該光ファイバ心線に対して前記ユーザ装置側から光信号が送信されているか否かを確認することを特徴とする心線対照方法。
【請求項２】
通信用の光信号の波長と異なる波長の光信号を前記局内装置側から送信することを特徴とする請求項１に記載の心線対照方法。
【請求項３】
前記局内装置側から送信する光信号として、前記通信用の光信号も含むことを特徴とする請求項２に記載の心線対照方法。
【請求項４】
局内装置とユーザ装置との間に配設された光ファイバ心線の心線対照を行うための心線対照装置であって、
心線対照を行う光ファイバ心線に対して光信号を送信する光送信手段と、
心線対照を行う位置において、前記光送信手段から送信された光信号を受信するとともに、前記ユーザ装置側からの光信号を受信可能な光受信手段と、を備えることを特徴とする心線対照装置。
【請求項５】
前記光送信手段は、通信用の光信号を送信する第１の光送信手段と、前記通信用の光信号の波長とは異なる波長の光信号を送信する第２の光送信手段と、を備え、
前記第１の光送信手段と第２の光送信手段とから、心線対照を行う光ファイバ心線に対して光信号を送信することを特徴とする請求項４に記載の心線対照装置。
【発明の詳細な説明】
【技術分野】
【０００１】
この発明は、光ファイバ心線を識別する心線対照方法および心線対照装置に関し、特にＰＯＮ（Ｐａｓｓｉｖｅ  Ｏｐｔｉｃａｌ  Ｎｅｔｗｏｒｋ）に適した心線対照方法および心線対照装置に関する。
【背景技術】
【０００２】
より安価に光通信を実現するための光通信網として、ＰＯＮが知られている。このＰＯＮは、電話局の局内装置からユーザ（加入者）側のユーザ装置につながる光ファイバの途中に光カプラ（光スプリッタ）などの分岐装置を設け、この分岐装置を介して複数のユーザ装置と１つの局内装置とを接続するものである。このようなＰＯＮの建設や保守などに際しては、光ケーブル内の光ファイバ心線やユーザの光ファイバ心線（分岐光ファイバ）を作業現場にて識別する必要があり、このような識別作業を心線対照と呼んでいる。
【０００３】
この心線対照では、従来例えば次のようにして光ファイバ心線を識別していた（例えば、特許文献１参照。）。すなわち、図５に示すように、通信用の光信号である通信光１００、１０１の波長とは異なる波長の心線対照光１０２を発生する心線対照光発生器３を局内装置１側に備え、作業現場においては受信機５を備える。そして、心線対照を行う（識別しようとする）光ファイバ心線４に対して、心線対照光発生器３から光カプラ２を介して心線対照光１０２を送信（入射）し、この心線対照光１０２を受信機５で受信することで、光ファイバ心線４を心線対照していた。つまり、作業現場で選定した光ファイバ心線４から心線対照光１０２が受信できることを確認することで、光ファイバ心線４を心線対照していた。
【特許文献１】特開２００３−０６５８９４号公報
【発明の開示】
【発明が解決しようとする課題】
【０００４】
ところで、上記のような心線対照方法では、心線対照光１０２の受信の有無のみによって光ファイバ心線４を心線対照している。このため、設計（接続計画）ミスや作業指示ミス、あるいは管理図と作業現場との相違などによって、誤った光ファイバ心線４に対して心線対照光１０２が送信された場合、運用中の光ファイバ心線４の通信を停止させてしまうなどの不具合が生じるおそれがある。例えば、既にユーザ装置６側と接続されている光ファイバ心線４に対して心線対照光１０２が送信された場合、この光ファイバ心線４を心線対照して新たな接続をしてしまい、当該ユーザ装置６との通信を停止させてしまう。また、ユーザ装置６側と接続されている光ファイバ心線４に対して保守などを行うべき場合に、ユーザ装置６側と接続されていない光ファイバ心線４に対して心線対照光１０２が送信されると、誤った光ファイバ心線４に対する保守などが行われてしまう。
【０００５】
そこでこの発明は、より適正な心線対照が可能な心線対照方法および心線対照装置を提供することを目的とする。
【課題を解決するための手段】
【０００６】
上記目的を達成するために請求項１に記載の発明は、局内装置とユーザ装置との間に配設された光ファイバ心線の心線対照を行うための心線対照方法であって、心線対照を行う光ファイバ心線に対して前記局内装置側から光信号を送信し、心線対照を行う位置において、心線対照を行う光ファイバ心線に対して前記局内装置側からの光信号が送信されているか否かを確認するとともに、当該光ファイバ心線に対して前記ユーザ装置側から光信号が送信されているか否かを確認することを特徴とする。ここで、局内装置側からの光信号とは、ユーザ装置側に向かう光信号（ユーザ装置側からでない光信号）を意味し、局内装置からの光信号や他の装置からの光信号を含む。
（作用）
心線対照を行う位置である作業現場などにおいて、心線対照を行う光ファイバ心線に対して局内装置側からの光信号が送信されているか否かを確認することで、局内装置側と作業現場とで心線対照を行う光ファイバ心線が一致しているか否かが判定される。つまり、局内装置側からの光信号が送信されていない場合には、局内装置側または作業現場の少なくとも一方において心線対照が誤っていることになる。さらに、心線対照を行う光ファイバ心線が一致している（局内装置側からの光信号が送信されている）場合に、この光ファイバ心線に対してユーザ装置側から光信号が送信されているか否かを確認することで、心線対照が正しいか否かが判定される。例えば接続作業の場合には、ユーザ装置側から光信号が送信されていてはならないため、ユーザ装置側から光信号が送信されていないことを確認することで、接続作業してよい、つまり心線対照が正しいと判定される。
【０００７】
請求項２に記載の発明は、請求項１に記載の心線対照方法において、通信用の光信号の波長と異なる波長の光信号を前記局内装置側から送信することを特徴とする。
【０００８】
請求項３に記載の発明は、請求項２に記載の心線対照方法において、前記局内装置側から送信する光信号として、前記通信用の光信号も含むことを特徴とする。
（作用）
局内装置側からの２つの光信号、つまり通信用の光信号とこの光信号の波長と異なる波長の光信号が、送信されていることを確認することで、局内装置側と作業現場とで心線対照を行う光ファイバ心線が一致しているか否かが判定される。
【０００９】
請求項４に記載の発明は、局内装置とユーザ装置との間に配設された光ファイバ心線の心線対照を行うための心線対照装置であって、心線対照を行う光ファイバ心線に対して光信号を送信する光送信手段と、心線対照を行う位置において、前記光送信手段から送信された光信号を受信するとともに、前記ユーザ装置側からの光信号を受信可能な光受信手段と、を備えることを特徴とする。
（作用）
心線対照を行う光ファイバ心線に対して光送信手段によって光信号が送信され、心線対照を行う位置である作業現場などにおいて、光送信手段から送信された光信号を光受信手段で受信することで、光ファイバ心線が心線対照される。とともに、この光ファイバ心線に対して、ユーザ装置側から光信号が送信されているか否かが光受信手段によって確認される。
【００１０】
請求項５に記載の発明は、請求項４に記載の心線対照装置において、前記光送信手段は、通信用の光信号を送信する第１の光送信手段と、前記通信用の光信号の波長とは異なる波長の光信号を送信する第２の光送信手段と、を備え、前記第１の光送信手段と第２の光送信手段とから、心線対照を行う光ファイバ心線に対して光信号を送信することを特徴とする。
（作用）
光送信手段から送信された２つの光信号、つまり通信用の光信号とこの光信号の波長と異なる波長の光信号を、光受信手段で受信することで光ファイバ心線が心線対照される。
【発明の効果】
【００１１】
請求項１および４に記載の発明によれば、ユーザ装置側から光信号が送信されているか否かに基づいて心線対照するため、より適正な心線対照が可能となる。例えば、接続作業を行う際に、誤った光ファイバ心線（運用中の心線）に対して局内装置側（光送信手段）から光信号が送信された場合であっても、ユーザ装置側から光信号が送信されていることを確認することで、誤った光ファイバ心線に光信号が送信されたと判断できる。また、運用中の光ファイバ心線に対して保守作業を行う際に、誤った光ファイバ心線（非運用中の心線）に対して局内装置側から光信号が送信された場合であっても、ユーザ装置側から光信号が送信されていないことを確認することで、誤った光ファイバ心線に光信号が送信されたと判断できる。
【００１２】
請求項２に記載の発明によれば、通信用の光信号の波長と異なる波長の光信号を局内装置側から送信するため、通信用の光信号とは異なる心線対照用の光信号として識別することができ、より適正な心線対照が可能となる。
【００１３】
請求項３および５に記載の発明によれば、局内装置側（光送信手段）から送信された２つの光信号に基づいて光ファイバ心線を心線対照するため、１つの光信号に基づいて心線対照する場合に比べて、より適正、正確な心線対照が可能となる。
【発明を実施するための最良の形態】
【００１４】
以下、この発明を図示の実施の形態に基づいて説明する。
【００１５】
（実施の形態１）
図１は、この実施の形態に係る心線対照装置を配設した状態を示す概略構成図（光線路の概略構成図）である。この心線対照装置は、局内装置１とユーザ装置６との間に配設された光ファイバ心線４の心線対照を行うための装置であって、主として、心線対照光発生器（光送信手段、第２の光送信手段）３と、受信判定機（光受信手段）５とを備えている。
【００１６】
心線対照光発生器３は、心線対照を行う光ファイバ心線４に対して、分岐装置である光カプラ２を介して光信号を送信（入射）するものであり、通信用の光信号である通信光１００、１０１の波長とは異なる波長の光信号である心線対照光１０２を送信する。この心線対照光発生器３と光カプラ２との間には、所定の波長の光信号を通さない第１のフィルタ３１が配設され、このフィルタ３１によってユーザ装置６からの上り通信光１０１が心線対照光発生器３側に伝送されないようになっている。また、局内装置１から光ファイバ心線４に対して下り通信光１００が送信され、局内装置１が第１の光送信手段となっている。すなわち、心線対照を行う１つの光ファイバ心線４に対して、局内装置１と心線対照光発生器３とからそれぞれ異なる波長の光信号１００、１０２が同時に送信されるようになっている。
【００１７】
受信判定機５は、心線対照を行う位置である作業現場に配設され、光ファイバ心線４に対して局内装置１から送信された下り通信光１００と、心線対照光発生器３から送信された心線対照光１０２と、ユーザ装置６から送信された上り通信光１０１とを受信できるようになっている。すなわち、この実施の形態では、光ファイバ心線４に所定の曲率の曲げ部が形成され、光信号１００〜１０２が曲げ部を通る際に放射される放射光を受信する受信機５１を備えている。
【００１８】
また、心線対照が正しいか否かを判定する判定部５２を備えている。すなわち、この実施の形態では、光ファイバ心線４の接続作業のために心線対照を行い、心線対照を行う光ファイバ心線４が運用中であってはならないとする。そして、判定部５２では、図２に示すように、まず、局内装置１からの下り通信光１００を受信したか否かを判断し（ステップＳ１）、受信した場合には、心線対照光発生器３からの心線対照光１０２を受信したか否かを判断する（ステップＳ２）。そして、心線対照光１０２を受信した場合には、ユーザ装置６からの上り通信光１０１を受信したか否かを判断し（ステップＳ３）、受信していない場合には、「心線対照良」と判定する（ステップＳ４）。つまり、上り通信光１０１を受信しない場合には光ファイバ心線４が運用中でない、と判断する。一方、下り通信光１００または心線対照光１０２を受信していない場合、および上り通信光１０１を受信した場合には、「心線対照否」と判定する（ステップＳ５）ものである。このような判定結果は、受信判定機５に備えられた良／否を示すＬＥＤ（Ｌｉｇｈｔ  Ｅｍｉｔｔｉｎｇ  Ｄｉｏｄｅ、図示せず）で表示されるようになっている。
【００１９】
ここで、ユーザ装置６と光カプラ２との間には、所定の波長の光信号を通さない第２のフィルタ６１が配設され、このフィルタ６１によって心線対照光発生器３からの心線対照光１０２がユーザ装置６側に伝送されないようになっている。
【００２０】
次に、このような構成の心線対照装置の作用および、この心線対照装置を用いた心線対照方法について、図３に基づいて説明する。ここで、上記のように、光ファイバ心線４の接続作業のために心線対照を行う場合について説明する。
【００２１】
まず、心線対照を行う光ファイバ心線４に対して、局内装置１から下り通信光１００を送信するとともに、心線対照光発生器３から心線対照光１０２を送信する（ステップＳ１１）。この際、常時下り通信光１００と心線対照光１０２とを送信するようにしてもよい。次に、接続作業を行う現場において、作業指示票などに基づいて心線対照を行う光ファイバ心線４、つまり接続対象の光ファイバ心線４を光ケーブル７中から選び出す（ステップＳ１２）。続いて、受信判定機５によって、この光ファイバ心線４に対する測定を行い（ステップＳ１３）、心線対照が正しいか否かを判定する（ステップＳ１４）。すなわち、上記のように、下り通信光１００と心線対照光１０２とを受信し、上り通信光１０１を受信していない場合には、「心線対照良」と判定される。そして、心線対照が正しい場合（ステップＳ１５で「Ｙ」の場合）には、この光ファイバ心線４に対して接続作業を行う（ステップＳ１６）。一方、心線対照が正しくない場合（ステップＳ１５で「Ｎ」の場合）には、作業指示票などに基づいて光ファイバ心線４を選び直し（ステップＳ１２）、同様の処理を繰り返す。さらに、図示していないが、作業現場において光ファイバ心線４を選び直しても心線対照が正しくない場合には、局内装置１、心線対照光発生器３側において心線対照を行う光ファイバ心線４を確認、選び直し、正しい光ファイバ心線４に下り通信光１００と心線対照光１０２とを送信し直すものである。
【００２２】
以上のように、この心線対照装置および心線対照方法によれば、ユーザ装置６側からの上り通信光１０１が送信されているか否かに基づいて心線対照するため、より適正な心線対照が可能となる。すなわち、上記のように、接続作業を行う際に、誤った光ファイバ心線４、つまり運用中の心線４に対して下り通信光１００と心線対照光１０２とが送信された場合であっても、ユーザ装置６側から上り通信光１０１が送信されていることを確認することで、誤った光ファイバ心線４に対して接続計画や作業指示などがされたと判断できる。また、局内装置１と心線対照光発生器３とから送信された２つの光信号１００、１０２に基づいて光ファイバ心線４を心線対照するため、１つの光信号に基づいて心線対照する場合に比べて、より適正な心線対照が可能となる。つまり、下り通信光１００と心線対照光１０２とを受信し、上り通信光１０１を受信していない、という３つの条件を満たす場合に心線対照が正しいと判定するため、より適正、正確な心線対照が可能となる。
【００２３】
（実施の形態２）
図４は、この実施の形態に係る心線対照装置を配設した状態を示す概略構成図（光線路の概略構成図）である。この実施の形態では、心線対照を行う光ファイバ心線が分岐光ファイバ４１である点で実施の形態１と異なり、実施の形態１と同等の構成については、同一符号を付して説明する。
【００２４】
この実施の形態では、光ファイバ心線４が分岐装置である第２の光カプラ８を介して複数の分岐光ファイバ４１と接続され、各分岐光ファイバ４１に各ユーザ装置６が接続されている。また、各分岐光ファイバ４１に対して割り当てられた特定の心線対照光１０２、（例えば、特定の波長と信号周波数（送信タイミング）の心線対照光１０２）が心線対照光発生器３から送信されるようになっている。さらに、受信判定機５の受信機５では、特定の心線対照光１０２を受信し、判定部５２では、受信した心線対照光１０２が心線対照の分岐光ファイバ４１に割り当てられた特定の心線対照光１０２であり、かつ、ユーザ装置６からの上り通信光１０１を受信していない場合に、「心線対照良」と判定するようになっている。
【００２５】
そして、次のようにして分岐光ファイバ４１の心線対照を行う。まず、心線対照を行う分岐光ファイバ４１に割り当てられた特定の心線対照光１０２を心線対照光発生器３から送信する。一方、接続作業などを行う現場において、作業指示票などに基づいて心線対照を行う分岐光ファイバ４１を選び出し、受信判定機５によって、この分岐光ファイバ４１に対する測定を行い、心線対照が正しいか否かを判定する。つまり、心線対照を行う分岐光ファイバ４１に割り当てられた特定の心線対照光１０２を受信し、かつ、上り通信光１０１を受信していない場合に、「心線対照良」と判定されるものである。
【００２６】
以上、この発明の実施の形態について説明したが、具体的な構成は、これらの実施の形態に限られるものではなく、この発明の要旨を逸脱しない範囲の設計の変更等があっても、この発明に含まれる。例えば、上記の実施の形態では、接続作業のために心線対照を行う場合、つまり心線対照を行う光ファイバ心線４や分岐光ファイバ４１が運用中であってはならない場合について説明したが、心線対照を行う光ファイバ心線４などが運用中であるべき場合についても適用できる。例えば、実施の形態１において運用中の光ファイバ心線４に対して保守作業を行うために心線対照を行う場合に、判定部５２において、下り通信光１００と心線対照光１０２とを受信し、かつ上り通信光１０１を受信した場合に、「心線対照良」と判定する。これにより、誤った光ファイバ心線４、つまり非運用中の心線４に対して光信号１００、１０２が送信された場合であっても、ユーザ装置６から上り通信光１０１が送信されていないことを確認することで、誤った光ファイバ心線４に光信号１００、１０２が送信されたと判断できる。
【００２７】
また、複数の受信機によって光受信手段を構成してもよい。例えば、心線対照光１０２を受信する受信機と、上り通信光１０１を受信可能な受信機とから光受信手段を構成するようにしてもよい。一方、実施の形態１において図１上、１つの光ファイバ心線４に対して１つのユーザ装置６しか接続されていないが、実施の形態２と同様に、第２の光カプラ８を介して複数のユーザ装置６が接続されているＰＯＮにも適用できることは勿論である。この場合、いずれかのユーザ装置６から上り通信光１０１を受信した場合には、「心線対照否」と判定する。
【図面の簡単な説明】
【００２８】
【図１】この発明の実施の形態１に係る心線対照装置を配設した状態を示す概略構成図である。
【図２】図１の受信判定機の判定部の判定フローを示す図である。
【図３】図１の心線対照装置を用いた心線対照方法を示すフローチャートである。
【図４】この発明の実施の形態２に係る心線対照装置を配設した状態を示す概略構成図である。
【図５】従来の心線対照方法を示す光線路の概略構成図である。
【符号の説明】
【００２９】
１          局内装置
２、８      光カプラ
３          心線対照光発生器（光送信手段、第２の光送信手段）
４          光ファイバ心線
４１        分岐光ファイバ（光ファイバ心線）
５          受信判定機（光受信手段）
５１        受信機
５２        判定部
６          ユーザ装置
７          光ケーブル
１００      下り通信光（光信号）
１０１      上り通信光（光信号）
１０２      心線対照光（光信号）
【図１】
2008275443.tif 000003
【図２】
2008275443.tif 000004
【図３】
2008275443.tif 000005
【図４】
2008275443.tif 000006
【図５】
2008275443.tif 000007